(57)【要約】【課題】  安楽な姿勢で着座状態を維持することができ、着座中の読書やテレビ鑑賞を快適にすると共に、マッサージ効果や保温性を発揮することができる座椅子を提供する。【解決手段】  座部１０と背凭れ２０とで構成される座椅子１において、前記座部１０の前方部分に、使用者の足を屈曲した状態で上方に保持する足載部３０を延設させると共に、前記足載部３０に振動装置４０を収容されている。また、前記背凭れ２０内に振動装置４０を収容することができ、また、前記背凭れ２０内に加温具４５を収容した。さらに、前記背凭れ２０の上部に、頭部載置側に屈曲する頭載部５０を設けた。【選択図】      図１
2005185686.tif 000002
【特許請求の範囲】
【請求項１】
座部と背凭れとで構成される座椅子において、前記座部の前方部分に、使用者の足を屈曲した状態で上方に保持する足載部が延設されていると共に、前記足載部に振動装置が収容されていることを特徴とする座椅子。
【請求項２】
前記背凭れ内に振動装置を収容した請求項１記載の座椅子。
【請求項３】
前記背凭れ内に加温具を収容した請求項１または２記載の座椅子。
【請求項４】
前記背凭れの上部に、頭部載置側に屈曲する頭載部を設けた請求項１〜３のうちいずれか一項記載の座椅子。
【発明の詳細な説明】
【技術分野】
【０００１】
本発明は、着座時の快適性を向上させると共に、マッサージ効果と保温性を兼ね備えた座椅子に関する。
【背景技術】
【０００２】
従来より、頭部を含めて十分に安楽な姿勢で座って憩うことのできる椅子用枕構造と座椅子がある。（例えば特許文献１参照）。
【０００３】
また、着座者が足を折り曲げて着座できるように座部にく字状に屈曲する足乗せ基部および足乗せ先端部を連接し、さらに、転倒しないように座部をベースフレームの中央に配置した安定性に優れた座椅子がある。（例えば特許文献２参照）。
【特許文献１】特開２００３−８８４４５号公報（第１−３頁、図１、図２）
【特許文献２】特開平１０−１０８７５２号公報（第１−２頁、図１）
【発明の開示】
【発明が解決しようとする課題】
【０００４】
上掲特許文献１の椅子用枕構造と座椅子は、背部の上端の枕部が後方に傾倒自在に構成されており、さらに、足先や脛部及び大腿部を臀部より高い位置で支承するため安楽な姿勢で憩うことができるとされているが、枕部を後方に傾倒自在に形成した場合、着座中の読書やテレビ鑑賞には不向きであった。また、使用中、脹脛の疲れや腰部の筋肉疲労を解消するまでには至らなかった。
【０００５】
また、上掲特許文献２の座椅子は、足を折り曲げた状態で楽な姿勢を維持でき、さらにベースフレームにより高い安定性が得られるが、全体の重量や製造コストが嵩むと共に、マッサージ効果や保温性を発揮することはできなかった。
【０００６】
そこで本発明の目的は、上記した従来技術の問題点を解消し、安楽な姿勢で着座状態を維持することができ、着座中の読書やテレビ鑑賞を快適にすると共に、マッサージ効果や保温性を発揮することができる座椅子を提供することにある。
【課題を解決するための手段】
【０００７】
上記課題を達成するために本発明の座椅子は、座部と背凭れとで構成される座椅子において、前記座部の前方部分に、使用者の足を屈曲した状態で上方に保持する足載部が延設されていると共に、前記足載部に振動装置が収容されていることを特徴とする。また、前記背凭れ内に振動装置を収容することができ、また、前記背凭れ内に加温具を収容してもよい。さらに、前記背凭れの上部に、頭部載置側に屈曲する頭載部を設けてもよい。
【発明の効果】
【０００８】
座部の前方部分に足載部を延設したことにより、着座時に足を屈曲した状態で上方に保持することができ、安楽な状態で着座することが可能となる。また、足載部に振動装置を収容することにより、脹脛部分のマッサージをおこなうことができる。さらに、背凭れに振動装置と加温具を収納することで、腰部や肩のマッサージと背中の加温を実現できる。さらにまた、背凭れの上部に、頭部載置側に屈曲する頭載部を設けたことで、着座中の読書やテレビ鑑賞を快適におこなうことも可能となる。
【発明を実施するための最良の形態】
【０００９】
以下、本発明の座椅子の実施の形態を図面に基づいて説明する。
図１および図２に示す座椅子１は、座部１０と背凭れ２０とで構成されており、座部１０の前方部分には、着座時、使用者の足を屈曲した状態で上方に保持する足載部３０が延設されている。また、特に、足載部３０の内部には振動装置４０が収容されている。
【００１０】
座部１０は、中空状のパイプ１１を芯材として形成されており、座部１０の後方には、パイプ２１を芯材とする背凭れ２０が配置されている。かかる背凭れ２０は、ラチェット金具１２を介して座部１０に対して上方向に角度調節自在に連結されている。
【００１１】
足載部３０は、着座時、使用者の足を屈曲した状態で上方に保持するもので、座部１０のパイプ１１の前方部分に設置されたラチェット金具１３により、上方向に屈曲されるパイプ３１からなる大腿載部３２と、大腿載部３２のパイプ３１の先端部分に設置されたラチェット金具３３により、下方向に屈曲されるパイプ３４からなる脛載部３５とで構成されている。また、座部１０、背凭れ２０、足載部３０の夫々のパイプ周囲には、緩衝性を有する中材２とカバー３が被覆されている。
【００１２】
足載部３０は、大腿載部３２を上方向に屈曲させ、さらに脛載部３５を下方向に屈曲させることで、図４に示すように、着座時、使用者の足を屈曲した状態で上方に保持することができる。そのため、安楽な姿勢を維持した状態で着座を続けることが可能となる。
【００１３】
また、特に、足載部３０であって、脛載部３５の内部には振動装置４０が収容されている。振動装置４０は、操作部４１のスイッチを入力することにより、偏芯モータが作動して心地よい振動を発生させるもので、特に強い疲労を感じる脹脛部分のマッサージをおこなうことができる。なお、図示する振動装置４０は、ケース本体４２の上部に突起４３を設けてツボ刺激効果も兼ね備えた構造からなるが、これに限らず、偏芯モータを使用したものであれば如何なる構造であってもよい。さらに設置する数量等も特に限定されない。
【００１４】
他の好適例として、背凭れ２０内に振動装置４４を収容させることが好ましい。この場合、着座時、人体の腰部と肩部が配置される個所に夫々一対づつ収容させることがより好ましい。
【００１５】
また、他の好適例として、背凭れ２０内に加温具４５を収容させることが好ましい。かかる加温具４５の構造は、特に限定されたものではないが、例えば、平布に電気抵抗の高い電熱線と配設し、市販の乾電池等の電源を利用して加熱させる。なお、加温具４５に温度の調節をおこなうコントローラやタイマー等を具備させてもよい。
【００１６】
さらに、他の好適例として、図３に示すように、背凭れ２０の上部に頭載部５０を設けることが好ましい。頭載部５０は、背凭れ２０のパイプ２１の上部にラチェット金具５１を介して設置されるもので、頭部載置側に自在に屈曲させることが可能となる。頭載部５０を背凭れ２０の上部に設けることで、図５に示すように、着座中の読書やテレビ鑑賞を快適におこなうことができる。
【図面の簡単な説明】
【００１７】
【図１】本発明の座椅子の一部を欠切した状態の斜視図である。
【図２】前記座椅子の内部構造を示す斜視図である。
【図３】他の好適例を示す座椅子の内部構造である。
【図４】足載部を屈曲させた状態の使用例である。
【図５】頭載部を屈曲させた状態の使用例である。
【符号の説明】
【００１８】
１  座椅子
２  中材
３  カバー
１０  座部
１１  パイプ
１２  ラチェット金具
１３  ラチェット金具
２０  背凭れ
２１  パイプ
３０  足載部
３１  パイプ
３２  大腿載部
３３  ラチェット金具
３４  パイプ
３５  脛載部
４０  振動装置
４１  操作部
４２  ケース本体
４３  突起
４４  振動装置
４５  加温具
５０  頭載部  
５１  ラチェット金具
【図１】
2005185686.tif 000003
【図２】
2005185686.tif 000004
【図３】
2005185686.tif 000005
【図４】
2005185686.tif 000006
【図５】
2005185686.tif 000007